(57)【要約】【課題】小型かつ安価な構成で適正な寿命を設定できるＬＥＤランプ装置を提供する。【解決手段】動作温度よりも低い電子部品67の発熱による温度の影響を受けることでＬＥＤの定格寿命時間よりも短い動作推奨時間で点灯回路21を開放する温度ヒューズ53を設ける。温度ヒューズ53によって、ＬＥＤの点灯状態を制御する点灯回路21の一部を構成する。小型かつ安価な構成で確実に点灯回路21への給電を遮断でき適正な寿命を設定できる。【選択図】図１
2009230971.tif 000002
【特許請求の範囲】
【請求項１】
電子部品を備え、負荷の動作を制御する負荷制御回路と；
この負荷制御回路の一部を構成し、耐熱温度よりも低い電子部品の発熱による温度の影響を受けることにより、前記負荷の所定の寿命時間よりも短い所定の動作推奨時間で負荷制御回路を開放する感温素子と；
を具備していることを特徴とする電気機器。
【請求項２】
感温素子は、対をなす導通部、一の導通部を他の導通部に対して離間する方向に付勢する付勢手段、および、付勢手段の動作範囲を規制して一方の導通部と他方の導通部とを導通させた状態を維持させるとともに、所定の定格温度よりも低い電子部品の発熱による温度の影響により徐々に昇華することで、負荷の所定の寿命時間よりも短い所定の動作推奨時間で付勢手段の動作範囲の規制を緩和して一方の導通部を他方の導通部に対して離間させる可溶体を備えた温度ヒューズである
ことを特徴とする請求項１記載の電気機器。
【請求項３】
光源と；
この光源を負荷として光源の動作を制御する請求項１または２記載の電気機器と；を具備し、
光源の定格寿命時間を前記負荷の所定の寿命時間として電気機器の負荷制御回路の動作を停止させる
ことを特徴とするランプ装置。
【発明の詳細な説明】
【技術分野】
【０００１】
本発明は、所定の寿命時間を有する負荷の動作を制御する負荷制御回路を備えた電気機器およびランプ装置に関する。
【背景技術】
【０００２】
従来、この種の電気機器としてのランプ装置としては、屈曲された蛍光ランプ発光管と電子回路とが一体化され、電球のソケットに直接使用可能な負荷としての光源(発光体)である電球形蛍光ランプが一般に知られている（例えば、特許文献１参照。）。また、光源にＬＥＤを用いたＬＥＤ電球も普及を始めている（例えば、特許文献２参照。）。
【特許文献１】特表２００２−５４２５８８号公報(第７−１０頁、図１)
【特許文献２】特表２００２−５２５８１４号公報(第７−８頁、図１)
【発明の開示】
【発明が解決しようとする課題】
【０００３】
一般的に、蛍光ランプは寿命が数千時間から１万時間程度であり、熱陰極として動作させるためのエミッタ塗布量を増やしたり、封入ガス圧を増したりすることで長寿命化が期待できる。また、ＬＥＤは温度が適正範囲内であれば、数万時間で故障することは考えにくく、長寿命のランプとなる。
【０００４】
ただし、蛍光ランプやＬＥＤであっても、点灯時間が経過するにしたがって次第に光束が低下するため、期待照度を下回った状態でなお点灯を続けるランプは好ましくない。また、電子回路と一体化されたランプ装置の場合、光源の寿命が電子回路の寿命よりも長くなると最終的には電子回路の電子部品が寿命となってランプ装置が不点となる。このような場合に、不特定の電子部品が予期し得ない状態で故障すると、その電子部品が発熱源となって、ランプの構造に好ましくない劣化を及ぼすことにもなりかねない。例えば、電子回路中の電解コンデンサの劣化により気化した電解液が放出したり、回路部品が熱破損したり、過熱により樹脂部分が熱溶解したりするおそれがある。
【０００５】
また一方、マイコン制御方式のような比較的高額で複雑な回路を用いて、適切な寿命で電源供給を強制的に遮断するという方式も考えられる。しかしながら、ＬＥＤ電球のように白熱電球の器具に装着するランプを想定した場合、回路の小形化が求められ、また同時に安価な構成であることが望まれているため得策でない。
【０００６】
このように、小形かつ安価な構成で、ランプ自身で適正な寿命が設定されかつ安全に電力供給遮断を行うランプが求められており、特にＬＥＤ電球の場合、その要求が大きくなっている。
【０００７】
本発明は、このような点に鑑みなされたもので、小型かつ安価な構成で適正な寿命を設定できる電気機器を提供することを目的とする。
【課題を解決するための手段】
【０００８】
請求項１記載の電気機器は、電子部品を備え、負荷の動作を制御する負荷制御回路と；この負荷制御回路の一部を構成し、耐熱温度よりも低い電子部品の発熱による温度の影響を受けることにより、前記負荷の所定の寿命時間よりも短い所定の動作推奨時間で負荷制御回路を開放する感温素子と；を具備しているものである。
【０００９】
負荷としては、例えば蛍光ランプ、あるいはＬＥＤなどの光源が用いられるが、これらに限定されるものではなく、例えばモータなどの動力機器や音響機器、情報機器などであってもよい。
【００１０】
負荷制御回路は、例えば電源供給回路および制御回路などを備え、回路基板上に複数の電子部品を実装して構成されている。
【００１１】
感温素子は、負荷制御回路を構成する電子部品、例えば温度ヒューズ、コンデンサ、あるいはＦＥＴなどが用いられるが、これらに限定されるものではない。
【００１２】
そして、負荷制御回路の一部を構成する感温素子が、耐熱温度よりも低い電子部品の発熱による温度の影響を受けることにより負荷の所定の寿命時間よりも短い所定の動作推奨時間で負荷制御回路を開放することで、小型かつ安価な構成で確実に給電が遮断されて適正な寿命が設定される。
【００１３】
請求項２記載の電気機器は、請求項１記載の電気機器において感温素子は、対をなす導通部、一の導通部を他の導通部に対して離間する方向に付勢する付勢手段、および、付勢手段の動作範囲を規制して一方の導通部と他方の導通部とを導通させた状態を維持させるとともに、所定の定格温度よりも低い電子部品の発熱による温度の影響により徐々に昇華することで、負荷の所定の寿命時間よりも短い所定の動作推奨時間で付勢手段の動作範囲の規制を緩和して一方の導通部を他方の導通部に対して離間させる可溶体を備えた温度ヒューズであるものである。
【００１４】
導通部は、例えば相対的に固定されたリード線とこのリード線に対して可動的な可動電極などが用いられる。
【００１５】
付勢手段は、例えばコイルばねなどの弾性復帰力を備えた弾性体が用いられる。
【００１６】
可溶体は、例えば熱可塑性樹脂などにより形成されたペレットなどである。
【００１７】
そして、ペレットが所定の定格温度よりも低い電子部品の発熱による温度の影響により徐々に昇華して所定の動作推奨時間で付勢手段の動作範囲の規制を緩和することで付勢手段によって導通部間の電気的接続を開放するように離間する温度ヒューズを感温素子として用いることにより、小型かつ安価な構成で確実に給電が遮断される。
【００１８】
請求項３記載のランプ装置は、光源と；この光源を負荷として光源の動作を制御する請求項１または２記載の電気機器と；を具備し、光源の定格寿命時間を前記負荷の所定の寿命時間として電気機器の負荷制御回路の動作を停止させるものである。
【００１９】
そして、光源を負荷として光源の動作を制御する請求項１または２記載の電気機器の動作を、光源の定格寿命時間を負荷の所定の寿命時間として停止させることにより、適正な寿命が設定される。
【発明の効果】
【００２０】
請求項１記載の電気機器によれば、負荷制御回路の一部を構成する感温素子が、耐熱温度よりも低い電子部品の発熱による温度の影響を受けることにより負荷の所定の寿命時間よりも短い所定の動作推奨時間で負荷制御回路を開放することで、小型かつ安価な構成で確実に給電を遮断でき適正な寿命を設定できる。
【００２１】
請求項２記載の電気機器によれば、請求項１記載の電気機器の効果に加えて、ペレットが所定の定格温度よりも低い電子部品の発熱による温度の影響により徐々に昇華して所定の動作推奨時間で付勢手段の動作範囲の規制を緩和することで付勢手段によって導通部間の電気的接続を開放するように離間する温度ヒューズを感温素子として用いることにより、小型かつ安価な構成で確実に給電を遮断できる。
【００２２】
請求項３記載のランプ装置によれば、光源を負荷として光源の動作を制御する請求項１または２記載の電気機器の動作を、光源の定格寿命時間を負荷の所定の寿命時間として停止させることにより、適正な寿命を設定できる。
【発明を実施するための最良の形態】
【００２３】
以下、本発明の一実施の形態を図面を参照して説明する。
【００２４】
図１は電気機器の一部を切り欠いた断面図、図２は電気機器の一部の断面図、図３は感温素子の動作を示し、(a)は通常の温度状態下での感温素子の状態を示す説明断面図、(b)は耐熱温度よりも高い温度下での感温素子の状態を示す説明断面図、(c)は動作推奨温度よりも高い温度状態下で負荷の動作推奨時間が経過した後の感温素子の状態を示す説明断面図、図４は感温素子の可溶体の寸法と累積動作時間との関係を示すグラフである。
【００２５】
図１および図２に示すように、電気機器としてのランプ装置であるＬＥＤ電球状のＬＥＤランプ装置11は、口金12上に外郭部材としてのカバー13を介して円板状の基板14が配設されている。
【００２６】
口金12は、例えば一般的な白熱電球などに用いられる、いわゆるＥ２６型口金などである。
【００２７】
カバー13は、例えば合成樹脂などの部材により、口金12側から基板14側へと拡径した円筒状に形成され、内部に負荷制御回路としての点灯回路21が配設されている。この点灯回路21は、口金12および基板14と電気的に接続されている。
【００２８】
基板14は、例えばアルミニウム、あるいは銅などの金属により円板状に形成され、カバー13の上端部を閉塞するように配置されており、上面の所定位置に、負荷としての光源である複数のＬＥＤ23を配設する突出部25が形成されたＬＥＤモジュールである。また、各突出部25の表面は、銀めっき層27により覆われている。さらに、突出部25，25間には、接着層31を介して絶縁層32が設けられ、各絶縁層32上には、導体33が設けられ、この導体33の上部には、光反射層34が設けられている。
【００２９】
ＬＥＤ23は、例えば透光性のダイボンド材36により銀めっき層27上に素子基板37が接着され、この素子基板37上に半導体発光層38が積層されているとともに、この半導体発光層38上に電極41，42が互いに離間されて配設された半導体チップである。さらに、これら電極41，42は、ボンディングワイヤ44，45により導体33，33に電気的に接続されている。したがって、各ＬＥＤ23は、導体33により、互いに直列に接続されている。そして、ＬＥＤ23は、図示しない封止部材により封止されている。また、これらＬＥＤ23は、動作しない(不点)状態となるまでの所定の定格寿命時間を有しているとともに、この定格寿命時間よりも短い所定の動作推奨時間を有している。ここで、動作推奨時間とは、ＬＥＤ23の光束維持率が所定値以上の状態、例えば７０％以上である時間をいう。換言すれば、動作推奨時間とは、その時間を過ぎるとＬＥＤ23の光束維持率が７０％未満となる時間をいう。例えば、ＬＥＤ23は、５万時間以上の定格寿命時間と、２万時間程度の動作推奨時間とを有している。
【００３０】
ダイボンド材36は、例えば透光性のシリコーン樹脂などからなる接着剤である。
【００３１】
素子基板37は、例えばサファイア基板などであり、半導体発光層38は、例えば青色などの単色発光の素子である。
【００３２】
封止部材は、例えば内部に図示しない蛍光体が混入された樹脂により形成されている。この蛍光体は、例えばＬＥＤ23が発する光の一部により励起されることでＬＥＤ23と異なる色の光を放射するもので、本実施の形態では、ＬＥＤ23の青色の光に対して黄色の光を放射することで白色系の照明光を得るように構成されている。
【００３３】
また、突出部25は、例えば銀めっき層27を含めた高さが、ＬＥＤ23の上面の高さ位置を導体33の高さ位置以上とするように設けられている。
【００３４】
銀めっき層27は、例えば光反射層34とともに無電解めっき処理により一度に設けられる。
【００３５】
接着層31は、例えば紙や布などの繊維材料からなるシートに熱硬化性の接着樹脂を含浸して構成されている。
【００３６】
絶縁層32は、光反射性能を得るために、例えば白色のガラスエポキシ基板などが用いられる。
【００３７】
点灯回路21は、図示しないが、商用交流電源からの電源をＡＣ−ＤＣ変換する電源供給回路およびこの電源供給回路からの給電により動作してＬＥＤ23の点灯状態を制御する点灯制御回路などを備え、回路基板51上に整流素子、平滑用などのコンデンサ、限流素子である抵抗およびＦＥＴなどの各種電子部品が実装されて構成されている。
【００３８】
点灯回路21を構成する電子部品には、点灯回路21を開放可能な感温素子としての温度ヒューズ53が含まれる。この温度ヒューズ53は、好ましくは例えば電源供給回路の入力ラインなどに設けられ、通常の温度状態では動作せず電気的導通が得られるが、急激な温度上昇を検知し所定の定格温度である耐熱温度すなわち動作温度を超えた場合はオープンモードとなり、点灯回路21の電源供給回路などを開放してＬＥＤ23への給電が遮断されるように使用されるものである。なお、以下、通常の温度状態とは、温度ヒューズ53が最も望ましい状態となる温度範囲、すなわち推奨温度以下の状態をいうものとする。また、温度ヒューズ53は、例えば動作温度が９１℃、公差が＋３℃、−１℃のものとする。
【００３９】
そして、この温度ヒューズ53は、例えば金属製などの導電性を有する筒状のケース体54の一端側に、導通部としてのリード線55が挿入されているとともに、ケース体54の他端側に、リード線56が取り付けられ、一方のリード線55のケース体54内の端部の周囲に円筒状の絶縁体57が取り付けられ、ケース体54内に、一方のリード線55に対向する導通部としての可動電極58が軸方向に摺動可能に収容され、この可動電極58が付勢手段としての第１付勢手段であるコイルばね59によりケース体54内にて他端側へと付勢され、かつ、可動電極58のコイルばね59と反対側に、可溶体としてのペレット60がケース体54内に収容されている。さらに、この温度ヒューズ53は、ペレット60とコイルばね59とによって導通とオープンとのそれぞれのモードの切り換えがなされる。
【００４０】
絶縁体57の外周面には、段差部57aが形成され、この段差部57aには、コイルばね59の一端側が取り付けられている。したがって、コイルばね59の一端側は、絶縁体57とケース体54との間に一端側が保持されている。
【００４１】
可動電極58の一端面には、コイルばね59の他端側が当接している。また、この可動電極58の他端面には、円板63が取り付けられ、この円板63に第２付勢手段としてのコイルばね64の一端側が取り付けられている。このコイルばね64は、他端側がペレット60に取り付けられた円板65に取り付けられ、可動電極58とペレット60とを互いに離間する方向に付勢している。さらに、可動電極58の外周面は、ケース体54の内周面に接触しており、このケース体54を介して他方のリード線56と電気的に接続されている。
【００４２】
そして、コイルばね59は、通常の温度状態で略最大に縮んだ状態となっており、可動電極58の一端面が一方のリード線55の先端に、コイルばね59の付勢に抗して接触することでこれらリード線55と可動電極58(リード線56)とを電気的に接続するように構成されている。
【００４３】
コイルばね64は、円板63，65により両端から挟持され、可動電極58とペレット60との間に位置している。また、このコイルばね64は、通常の温度状態で略最大に縮んだ状態となっている。
【００４４】
そして、ペレット60は、所定の動作温度で溶解する例えば熱可塑性樹脂などにより形成され、円板65とケース体54の他端側との間に配置され、他方のリード線56に接触している。また、このペレット60は、図３(a)に示す通常の温度状態で固体をなすことでコイルばね59，64を縮めた状態としてリード線55と可動電極58との導通を維持するとともに、図３(b)に示すように、耐熱温度、すなわち動作温度にて溶解して液状体のペレット60aとなることでコイルばね59，64のケース体54内での伸張の規制を緩和する。さらに、このペレット60は、動作温度よりも低くこの動作温度に近い(温度ヒューズ53の使用推奨温度よりも高い)所定の温度下において昇華(融解)し、図４に示すように、徐々に体積(寸法)が減少する。
【００４５】
したがって、温度ヒューズ53は、ペレット60が本来の動作温度に達せずとも、所定の温度下で所定の時間が経過すると、図３(c)に示すように、体積(寸法)の減少分コイルばね59が伸びることで、可動電極58とリード線55との接触が離間されてオープンモードとなる。このように温度ヒューズ53がオープンモードとなるペレット60の昇華量をＳ、温度ヒューズ53の温度をTFとすると、単位時間あたりのペレット60の昇華速度である関数ｆ(TF)を用いて、昇華量Ｓはｆ(TF)dtの時間積分値となる。すなわち、温度ヒューズ53を点灯回路21に組み込み、ＬＥＤ23の動作推奨時間でこの動作推奨時間に対応した量の昇華量Ｓを得られるように、この温度ヒューズ53を所定の使用温度となる位置に配置することで、ＬＥＤ23の動作推奨時間が制御される。
【００４６】
具体的に、温度ヒューズ53は、ＬＥＤ23の動作推奨時間を所定の時間、本実施の形態では２万時間に設定するように、例えばＬＥＤランプ装置11の動作中の温度変化が比較的少ない所定の位置、例えば点灯回路21を構成する所定の電子部品66のうち、最も温度が上がる電子部品67上に対して、非導電性すなわち絶縁性の部材、例えばシリコーン樹脂などを介して密着して取り付けられ、電子部品67の発熱が直接温度ヒューズ53に伝わるように構成されている。なお、電子部品67は、ＬＥＤ23の連続点灯時の表面温度が例えば約８１℃となるように設定されている。
【００４７】
次に、上記一実施の形態の動作を説明する。
【００４８】
口金12を図示しない電球ソケットなどにねじ込み、商用交流電源から給電することで、点灯回路21によりＡＣ−ＤＣ変換されるとともに電圧が調整されて、導体33およびボンディングワイヤ44，45を介して基板14の各ＬＥＤ23へと所定電圧が印加され、これらＬＥＤ23が点灯する。
【００４９】
ＬＥＤ23からの発光の一部は、封止部材に混入されている蛍光体を励起して黄色の光を放射させることにより、封止部材の蛍光体を励起せずに封止部材を通過したＬＥＤ23からの青色の光と混色されて白色系の照明光が照射される。
【００５０】
温度ヒューズ53は、通常の動作状態では、図３(a)に示すように、ペレット60の長さ寸法によってコイルばね59，64の伸張が規制され、可動電極58がリード線55と接触することで、リード線55、可動電極58、ケース体54およびリード線56と電気的導通が得られる。一方、例えば点灯回路21の各電子部品66，67などが故障などにより過熱した際に、これら電子部品66，67などの温度が動作温度を超えると、図３(b)に示すように、ペレット60が溶解して液体状のペレット60aとなり、コイルばね59，64が伸張することで、可動電極58がリード線55から離間されて温度ヒューズ53がオープンモードとなってリード線55，56間の電気的導通が遮断される。
【００５１】
ここで、点灯回路21の動作に伴い各電子部品66，67が動作によって発熱すると、温度ヒューズ53を直接貼り付けた電子部品67の発熱による温度(約８１℃)が温度ヒューズ53の動作温度よりも低く推奨温度(例えば７１℃)よりも高いことにより、温度ヒューズ53が電子部品67の発熱による温度の影響を直接受け、ペレット60が図４に示すように徐々に昇華してその寸法が小さくなる。
【００５２】
そして、ＬＥＤ23の動作推奨時間となったとき、図３(c)に示すように、コイルばね59の付勢により可動電極58がリード線55から離間される程度までペレット60の寸法が減少することで温度ヒューズ53がオープンモードとなり、リード線55，56間の電気的導通が遮断されて点灯回路21が開放され、ＬＥＤ23が不点となる。
【００５３】
このように、温度ヒューズ53が、動作温度よりも低い電子部品67の発熱による温度の影響を受けることによりＬＥＤ23の定格寿命時間(５万時間以上)よりも短い動作推奨時間(２万時間程度)でオープンモードとなって点灯回路21を開放することで、マイコンなどの高価な部品を使用することなく小型かつ安価な構成で、確実に点灯回路21への給電を遮断でき適正な寿命を設定できる。
【００５４】
すなわち、点灯回路21の累積動作時間がＬＥＤ23の動作推奨時間よりも長くなると、ＬＥＤ23自体は光束維持率が低下するものの定格寿命時間まで点灯を続けられるのに対して、点灯回路21(電子部品)の方が先に使用寿命を迎える。この場合、不特定の電子部品が予期し得ない状態で故障すると、その電子部品が発熱源となってＬＥＤランプ装置11の構造に好ましくない劣化を及ぼし得る。このため、ＬＥＤ23の動作推奨時間になると温度ヒューズ53がオープンモードとなって点灯回路21を開放するように構成することで、このような不特定の電子部品の予期し得ない状態での故障を防止し、ＬＥＤランプ装置11の使用寿命を動作推奨時間に確実に設定できる。
【００５５】
また、ペレット60が動作温度よりも低い電子部品67の発熱による温度の影響により徐々に昇華してＬＥＤ23の動作推奨時間でコイルばね59の動作範囲の規制を緩和することでコイルばね59によって可動電極58とリード線55との電気的接続を開放するように離間する温度ヒューズ53を感温素子として用いることにより、小型かつ安価な構成で点灯回路21への給電を確実に遮断できる。
【００５６】
さらに、負荷を光源とし、この光源の動作を制御するＬＥＤランプ装置11の動作を、光源の定格寿命時間を負荷の所定の寿命時間として停止させることにより、ＬＥＤ23の光束維持率などに応じた適正な寿命を設定したＬＥＤランプ装置11を得ることができる。特に、ＬＥＤ23は、一般的に長寿命であり、点灯回路21よりも使用寿命が長くなるため、動作推奨時間で確実に点灯回路21を遮断することにより、点灯回路21の電子部品の予期し得ない故障などを確実に防止できる。
【００５７】
そして、温度ヒューズ53は、その使用温度TFが高いほど関数ｆ(TF)が大きくなりＬＥＤランプ装置11の動作推奨時間を短く設定するが、高温下では一般的にＬＥＤ23の光束の劣化も大きく、また点灯回路21の他の電子部品の劣化も大きいので、高温環境下で使用されるＬＥＤランプ装置11の動作推奨時間が温度ヒューズ53により短く設定されることは、順当な選択となる。すなわち、温度ヒューズ53をこのようにＬＥＤランプ装置11の使用寿命の設定に用いることで、点灯回路21などの発熱温度に対応してＬＥＤランプ装置11の点灯回路21を適切な寿命時間で開放できる。
【００５８】
なお、上記一実施の形態において、温度ヒューズ53は、ＬＥＤ23の所望の動作推奨時間でコイルばね59によりリード線55と可動電極58との導通を遮断するようにペレット寸法が変化する位置であれば、任意の位置に配置することが可能である。
【００５９】
また、温度ヒューズ53の構成は、通常の温度状態で電気的導通を得ることができ、所定の動作温度で可溶体が溶解して電気的導通を遮断するとともに、所定の温度下では時間の経過とともに可溶体が徐々に溶解して所定時間後に電気的導通を遮断するものであれば、上記構成に限定されるものではない。
【００６０】
さらに、感温素子としては、温度ヒューズ53以外にも、例えば点灯回路21を構成するコンデンサ、あるいはＦＥＴなどでも同様に作用させることができる。この場合には、それぞれの素子の耐熱温度よりも低く推奨温度よりも高い温度の位置にそれら感温素子を配置して、ＬＥＤ23の所望の動作推奨時間で破損するように設定する。そして、この場合、点灯回路21を構成する電子部品そのものを感温素子とするため、点灯回路21に感温素子を別途設ける必要がなく、点灯回路21を簡略化できる。
【００６１】
また、ＬＥＤランプ装置11について説明したが、光源を蛍光ランプなどとしても対応できる。
【００６２】
そして、光源以外の負荷を制御する負荷制御回路に対しても同様に対応できる。
【図面の簡単な説明】
【００６３】
【図１】本発明の一実施の形態を示す電気機器の一部を切り欠いた断面図である。
【図２】同上電気機器の一部の断面図である。
【図３】同上電気機器の感温素子の動作を示し、(a)は通常の温度状態下での感温素子の状態を示す説明断面図、(b)は耐熱温度よりも高い温度下での感温素子の状態を示す説明断面図、(c)は動作推奨温度よりも高い温度状態下で負荷の動作推奨時間が経過した後の感温素子の状態を示す説明断面図である。
【図４】同上電気機器の感温素子の可溶体の寸法と累積動作時間との関係を示すグラフである。
【符号の説明】
【００６４】
11    電気機器としてのランプ装置であるＬＥＤランプ装置
21    負荷制御回路としての点灯回路
23    負荷としての光源であるＬＥＤ
53    感温素子としての温度ヒューズ
55    導通部としてのリード線
58    導通部としての可動電極
59    付勢手段としてのコイルばね
60    可溶体としてのペレット
66    電子部品
67    電子部品
【図１】
2009230971.tif 000003
【図２】
2009230971.tif 000004
【図３】
2009230971.tif 000005
【図４】
2009230971.tif 000006